(57)【要約】【課題】安定した信号処理動作を入力信号に応じて行う。【解決手段】検出部２５は、信号切替部２４から供給された信号Ｓseの方式検出を繰り返し行い、検出結果ＤＳを判定処理部２６に供給する。判定処理部２６は、複数回の検出結果ＤＳと変更可能な判定条件を用いて信号Ｓseの方式判定処理を行い、判定結果ＲＤを制御部３０に供給する。制御部３０は判定結果ＲＤに基づき制御信号ＣＴpを生成して信号処理部２７に供給する。信号処理部２７は、信号Ｓseの方式に応じた信号処理動作を行う。信号Ｓseの方式判定は、複数回の検出結果ＤＳと変更可能な判定条件を用いて行うことから、検出で誤検出が生じても正しく方式を判定することが可能となる。判定条件を信号Ｓse等に応じて変更することで適切な方式判定処理が可能となる。したがって、安定した信号処理動作を入力信号に応じて行うことができる。【選択図】        図１
2008054057.tif 000002
【特許請求の範囲】
【請求項１】
入力信号の信号処理を行って所望の出力信号を得る電子機器において、
前記入力信号の方式検出を繰り返し行う検出部と、
前記検出部で得られた複数回の検出結果と変更可能な判定条件を用いて、前記入力信号の方式判定処理を行う判定処理部と、
前記判定処理部で得られた判定結果に応じて前記信号処理の動作を制御する制御部を設けた
ことを特徴とする電子機器。
【請求項２】
受信した放送波から所望のチャネルの放送波を選局するチューナを設けて、該チューナから出力される信号を前記入力信号とし、
前記チューナは前記放送波を受信したときの電界強度の判別を行い、
前記判定処理部では、前記チューナで判別された電界強度に応じて前記判定条件を変更する
ことを特徴とする請求項１記載の電子機器。
【請求項３】
前記チューナから出力される信号あるいは外部機器から供給される信号のいずれかを前記入力信号とする信号切替部を設け、
前記制御部は、前記信号切替部の信号切替動作を制御するものとし、
前記判定処理部では、前記信号切替部で信号切替動作が行われるときに前記判定条件を変更する
ことを特徴とする請求項２記載の電子機器。
【請求項４】
前記チューナから出力される信号あるいは外部機器から供給される信号のいずれかを前記入力信号とする信号切替部を設け、
前記制御部は、前記信号切替部の信号切替動作を制御するものとし、
前記判定処理部は、前記信号切替部の信号切替によって選択された信号に応じて前記判定条件を変更する
ことを特徴とする請求項２記載の電子機器。
【請求項５】
前記判定処理部は、前記判定条件として、第１および第２の閾値と前記方式判定処理に用いる検出結果の数を設定し、該判定条件で示された数の検出結果における異なる検出結果の割合と、前記第１および第２の閾値を比較して、既に得られている判定結果を変更するか否かの方式判定処理を行う
ことを特徴とする請求項１記載の電子機器。
【請求項６】
前記判定処理部は、既に得られている判定結果と異なる方式の検出結果の割合が前記第１の閾値以上であるときは異なる方式を示す判定結果を生成し、前記第２の閾値未満であるときは既に得られている判定結果と等しい判定結果を生成し、前記第１の閾値未満であって前記第２の閾値以上であるときは、方式判定が確定していないことを示す判定結果を生成する
ことを特徴とする請求項５記載の電子機器。
【請求項７】
前記判定処理部では、前記第１および第２の閾値と、前記方式判定処理に用いる検出結果の数と、前記検出部における前記方式検出の繰り返し周期の少なくとも一つを切り替えることで前記判定条件を変更する
ことを特徴とする請求項５記載の電子機器。
【請求項８】
入力信号の方式検出を繰り返し行う検出工程と、
前記検出工程で得られた複数回の検出結果と変更可能な判定条件を用いて、前記入力信号の方式判定処理を行う判定処理工程と、
前記入力信号に対して信号処理を行う信号処理工程と、
前記判定処理工程で得られた判定結果に基づいて前記信号処理工程の動作を制御する制御工程を有する
ことを特徴とする信号処理方法。
【発明の詳細な説明】
【技術分野】
【０００１】
この発明は、電子機器と信号処理方法に関する。具体的には、入力信号の方式検出を繰り返し行い、この複数回の検出結果と変更可能な判定条件を用いて入力信号の方式判定処理を行い、判定結果に基づいて入力信号に対する信号処理を行うことで、安定した信号処理動作を入力信号に応じて行うものである。
【背景技術】
【０００２】
従来の電子機器、例えばテレビジョン装置では、放送波を受信して得られた受信信号に基づき放送方式の検出が行われており、この検出結果に応じて映像表示や音声出力を正しく行うことができるように各部の制御が行われている。また、方式検出では、例えば、垂直同期信号と同周期の矩形波を発生させて積分回路に供給することで、垂直同期信号の周波数に応じた電圧を生成して、この電圧をヒステリシスコンパレータ回路にかけることで、ＶＴＲ早送り、巻き戻しなど周波数が大きく変化する場合でも周波数状態に応じた出力電圧を得ることが行われている（特許文献１参照）。
【０００３】
【特許文献１】特開２００２−３５４２８６号公報
【発明の開示】
【発明が解決しようとする課題】
【０００４】
ところで、周波数に応じた電圧をヒステリシスコンパレータ回路にかけることでヒステリシス特性を持たせても、垂直同期信号の周波数に応じた電圧にノイズ等が重畳されて閾値を超えてしまうと、誤った判定結果が出力されてしまう。特に放送波を受信する場合、放送波電界強度が弱いと、受信信号の信号レベルが小さくなったり、Ｓ／Ｎ比が悪化することから、方式の検出結果が頻繁に変化してしまうおそれがある。このため、誤った検出結果に基づいて各部が制御されてしまうと、映像表示や音声出力の品位が低下したものとなってしまう。
【０００５】
そこで、この発明では、安定した信号処理動作を入力信号に応じて行うことができる電子機器および信号処理方法を提供するものである。
【課題を解決するための手段】
【０００６】
この発明の概念は、入力信号の信号処理を行って所望の出力信号を得る場合、入力信号の方式検出を繰り返し行い、得られた複数回の検出結果と変更可能な判定条件を用いて、入力信号の方式判定処理を行い、得られた判定結果に応じて信号処理の動作を制御することにある。
【０００７】
この発明においては、例えば受信した放送波から所望のチャネルの放送波を選局するチューナから出力された信号を入力信号として用いるとき、放送波を受信したときの電界強度の判別を行い、この判別された電界強度に応じて判定条件が変更される。また、チューナから出力される信号あるいは外部機器から供給される信号のいずれかを入力信号とする信号切替部が設けられたとき、信号切替部で信号切替動作が行われるときに判定条件が変更される。また、信号切替部の信号切替によって選択された信号に応じて判定条件が変更される。
【０００８】
方式判定処理では、判定条件として、第１および第２の閾値と方式判定処理に用いる検出結果の数が設定されて、該判定条件で示された数の検出結果における異なる検出結果の割合と、第１および第２の閾値を比較して、既に得られている判定結果を変更するか否かの方式判定処理が行われる。例えば、既に得られている判定結果と異なる方式の検出結果の割合が第１の閾値以上であるときは異なる方式を示す判定結果が生成される。また、第２の閾値未満であるときは既に得られている判定結果と等しい判定結果が生成されて、第１の閾値未満であって第２の閾値以上であるときは、方式判定が確定していないことを示す判定結果が生成される。さらに、第１および第２の閾値と、方式判定処理に用いる検出結果の数と、検出部における方式検出の繰り返し周期の少なくとも一つを切り替えることで判定条件が変更される。
【発明の効果】
【０００９】
この発明によれば、入力信号の方式検出が繰り返し行われて、複数回の検出結果と変更可能な判定条件を用いて、入力信号の方式判定処理が行われる。さらに、この判定結果に基づいて、入力信号に対する信号処理が行われる。
【００１０】
このように、複数回の検出結果と変更可能な判定条件を用いて入力信号の方式判定処理が行われることから、入力信号の方式検出で誤検出が生じても、正しく入力信号の方式を判定することが可能となる。また、判定条件を入力信号等に応じて変更することで、最適な方式判定処理が可能となる。さらに、方式判定処理で得られた判定結果を用いることで、安定した信号処理動作を入力信号に応じて行うことができる。
【発明を実施するための最良の形態】
【００１１】
以下、図を参照しながら、この発明の実施の一形態について説明する。図１は、入力信号の信号処理を行って所望の出力信号を得る電子機器、例えばテレビジョン装置の構成を示している。
【００１２】
アンテナ２１で放送電波を受信することにより得られた受信信号ＳRFは、チューナ２２に供給される。チューナ２２は、後述する制御部３０からの制御信号ＣＴtuに基づき局部発振周波数を制御して、受信信号ＳRFから所望の放送コンテンツの周波数を選局する。さらに、チューナ２２は、所望の放送コンテンツの周波数を選局することにより得られた中間周波信号の増幅や映像検波および音声検波を行い、映像や音声の信号Ｓtuを生成して信号切替部２４に供給する。また、チューナ２２は、放送電波を受信したときの電界強度の判別を行い、判別結果を示す情報ＬＭを生成して制御部３０に供給する。例えばチューナ２２は、受信信号ＳRFの信号レベル、あるいは中間周波信号が所望の信号レベルとなるように増幅したときの利得等を、情報ＬＭとして制御部３０に供給する。
【００１３】
信号切替部２４には、信号入力端子２３が接続されており、この信号入力端子２３を介して外部機器例えばビデオカメラやレコーダ等から映像や音声の信号Ｓexが入力可能とされている。信号切替部２４は、制御部３０から供給された制御信号ＣＴseに基づき、チューナ２２から供給された信号Ｓtu、あるいは信号入力端子２３に入力された信号Ｓexの選択を行い、選択した信号を入力信号Ｓseとして検出部２５に供給する。
【００１４】
検出部２５は、入力信号Ｓseに基づいて方式の検出を行う。例えば入力信号Ｓseの放送方式や音声方式等の検出を行い、検出結果を判定処理部２６に供給する。また、検出部２５は、判定処理部２６から支持された検出時間間隔ＣＲで検出を行う。
【００１５】
検出部２５で放送方式の検出を行う場合、例えば垂直同期信号の周波数（垂直同期周波数）を検出する。ここで、垂直同期周波数が６０ＨｚであるときはＮＴＳＣ方式、５０ＨｚであるときはＰＡＬ方式あるいはＳＥＣＡＭ方式であるとする。また、色副搬送波基準信号の検出を行い、色副搬送波基準信号の周波数が第１の周波数と第２の周波数との間で１水平ライン毎交互に順次変化しているときにはＳＥＣＡＭ方式、色副搬送波基準信号の周波数が一定であるときはＰＡＬ方式とする。さらに、映像キャリア周波数と音声キャリア周波数の差を検出すれば、ＰＡＬ方式における種々のシステムの検出も行うことができる。ここで、周波数差が５．５ＭＨｚであるときはＢ／Ｇ（イタリア、オランダ、ドイツ、スイス、オーストラリア、シンガポール、タイなどで用いられている方式）、周波数差が６ＭＨｚであるときはＩ（イギリスで用いられている方式）、周波数差が６．５ＭＨｚであるときはＤ／Ｋ（ロシアなどで用いられている方式）であるとする。また、検出部２５では、入力信号Ｓseがディジタルの映像信号であるとき、外部機器垂直同期信号と水平同期信号およびクロック信号を利用して、垂直方向および水平方向の画素数検出等を行うものとしてもよい。さらに検出部２５は、映像だけでなく音声方式の検出を行うものとしてもよい。例えば、音声信号がモノラル方式であるか音声多重方式であるか等の検出を行うものとしてもよい。
【００１６】
判定処理部２６は、マイクロコンピュータ等を用いて構成されている。判定処理部２６は、検出部２５から供給された検出結果ＤＳをレジスタに複数回分蓄積する。判定処理部は、レジスタに蓄積された複数回の検出結果ＤＳと、制御部３０から供給された制御信号ＭＳによって設定された判定条件を用いて入力信号Ｓseの方式判定を行い、判定結果ＲＤを制御部３０に供給する。また、判定結果を記憶して次の方式判定に用いる。
【００１７】
信号処理部２７は、制御部３０から供給された制御信号ＣＴpに基づき、検出部２５を介して供給された入力信号Ｓseに応じた信号処理を行う。さらに、信号処理後の信号Ｓoutを出力部２８に供給して映像表示や音声出力を行う。
【００１８】
制御部３０にはユーザインタフェース部２９が接続されている。ユーザインタフェース部２９は、リモートコントロール装置から送信された信号を受信するリモートコントロール信号受信部や操作キー等で構成されている。このユーザインタフェース部２９では、リモートコントロール装置から送信された信号を受信して、リモートコントロール装置に設けられている操作キーのキー操作に応じた操作信号ＰＳを制御部３０に供給する。あるいは、操作キーのキー操作に応じた操作信号ＰＳを生成して制御部３０に供給する。
【００１９】
制御部３０は、マイクロコンピュータ等を用いて構成されている。制御部３０は、操作信号ＰＳに基づき制御信号ＣＴtu，ＣＴse，ＣＴpを生成して上述のように供給することで、テレビジョン装置１０の動作が、ユーザのキー操作に応じた動作となるように制御する。例えば、ユーザ操作によって指定されたチャネルを選局するための制御信号ＣＴtuを生成してチューナ２２に供給する。また、ユーザ操作によって入力切替が行われたときは、ユーザによって指定された信号を選択するための制御信号ＣＴseを生成して信号切替部２４に供給する。また、制御部３０は、方式判定処理における判定条件を設定するための制御信号ＭＳを生成して判定処理部２６に供給する。さらに、制御部３０は、判定処理部２６から供給された判定結果ＲＤに基づき制御信号ＣＴpを生成して信号処理部２７に供給することで、入力信号Ｓseに対応した信号処理を信号処理部２７で正しく行うことができるように制御する。なお方式判定が確定していないことが判定結果ＲＤによって示されたときには、前回の判定結果Ｋmに基づいた制御を行う。
【００２０】
次に、判定結果に基づいた信号処理動作の切替について説明する。テレビジョン装置では、放送方式や音声方式等に応じて映像表示や音声出力を正しく行うことができるように信号処理動作が行われている。このため、方式の切り替えが行われたときには変更後の方式に応じた信号処理動作を行い、方式の誤検出が生じたときには誤検出の結果に基づいて信号処理動作の切り替えが行われてしまうことがないように制御する。以下、検出部２５では、方式の検出として例えば垂直同期周波数の検出を行い、この結果に基づいて信号処理部２７の動作を制御する場合について説明する。
【００２１】
図２は制御部３０の動作を示すフローチャートであり、図３は判定処理部２６の動作を示すフローチャートである。
【００２２】
図２において、ステップＳＴ１で制御部３０は、判定処理部２６で行われる方式判定処理の設定指示を行う。例えば、予め複数の判定処理条件を判定処理部２６に記憶しておき、制御部３０は、テレビジョン装置の動作状態に応じて、いずれの判定処理条件を用いるか指示することで、方式判定処理の設定を行う。また、判定処理条件を制御部３０から判定処理部２６に供給することで、方式判定処理の設定を行うものとしてもよい。
【００２３】
図３において、ステップＳＴ１１で判定処理部２６は、方式判定処理の設定が完了したか否かを判別する。ここで、制御部３０によって判定条件の設定が完了したときにはステップＳＴ１２に進む。また、判定条件の設定が行われていないときはステップＳＴ１１に戻る。
【００２４】
図４は、方式判定処理の判定条件を示している。方式判定処理の判定条件としては、第１の閾値ＴＨpおよび第２の閾値ＴＨqと方式判定処理に用いる検出結果の数Ｎを設定する。また、検出部２５における方式検出の繰り返し周期である検出時間間隔ＣＲを設定するものとしてもよい。また、第１の閾値ＴＨp、第２の閾値ＴＨq、検出結果の数Ｎ、検出時間間隔ＣＲの少なくとも一つを切り替えることで、判定条件の変更を行い、方式判定処理の処理動作を切り替えることができるようになされている。
【００２５】
ここで、第１の閾値ＴＨpは、既に得られている判定結果と異なる方式を示す判定結果を生成するか否かを判別するための閾値である。この第１の閾値ＴＨpは、既に得られている判定結果と異なる検出結果ＤＳの発生割合や連続回数と比較されるものであり、異なる検出結果ＤＳの発生割合や連続回数が第１の閾値ＴＨp以上であるときは、既に得られている判定結果と異なる検出結果の方式を示す判定結果を生成する。第２の閾値ＴＨqは、第１の閾値ＴＨpと同様に、既に得られている判定結果と等しい判定結果を生成するか否かを判別するための閾値である。この第２の閾値ＴＨqは、既に得られている判定結果と異なる検出結果ＤＳの発生割合や連続回数と比較されるものであり、異なる検出結果ＤＳの発生割合や連続回数が第２の閾値ＴＨq未満であるときは、既に得られている判定結果と等しい判定結果を生成する。また、発生割合や連続回数が第の閾値ＴＨp未満で第１の閾値ＴＨq以上であるときは、検出結果が安定しておらず過渡状態である期間（変更予測期間）として、方式判定が確定していないことを示す判定結果を生成する。
【００２６】
ここで、異なる検出結果ＤＳの発生割合に基づいて方式判定処理を行う場合、方式判定処理を行う際に用いる検出結果の数（以下「判定母数」という）Ｎと、この判定母数Ｎにおいて、既に得られている判定結果と異なる検出結果ＤＳの割合に対して第１の閾値ＴＨq、第２の閾値ＴＨpを設定する。
【００２７】
制御部３０は、チューナ２２からの情報ＬＭで示された電界強度や信号切替部２４で選択する信号等に基づき制御信号ＭＳを判定処理部２６に供給して、判定処理部２６における判定条件の設定を行う。例えば、制御部３０は、電界強度が弱くないとき、設定ＭＳＴ1を判定処理部２６で用いるようにする。また、制御部３０は、電界強度が弱いとき、正しい判定結果が得られるように、判定期間を長くした設定ＭＳＴ2を判定処理部２６で用いるようにする。さらに、制御部３０は、信号切替部２４で外部機器からの信号を選択したとき、可変速再生等が行われても正しい判定結果が得られるように、判定期間を長くした設定ＭＳＴ3を判定処理部２６で用いるようにする。また、制御部３０は、信号切替部２４で信号の切り替えを行うとき、速やかに判定結果が得られるように、検出時間間隔や判定期間を短くした設定ＭＳＴ4を判定処理部２６で用いるようにする。
【００２８】
図３のステップＳＴ１２で判定処理部２６は、検出部２５から検出結果を取得してステップＳＴ１３に進む。
【００２９】
ステップＳＴ１３で判定処理部２６は、検出結果ＤＳが判定母数Ｎの数だけ取得されたか否かを判別する。ここで、検出結果ＤＳが判定母数Ｎの数だけ取得されていないときにはステップＳＴ１２に戻り、検出結果ＤＳが判定母数Ｎの数だけ得られたときはステップＳＴ１４に進む。
【００３０】
ステップＳＴ１４で判定処理部２６は、前判定結果Ｊmと異なる方式の検出結果の割合が第１の閾値ＴＨp以上であるか否かを判別する。ここで、前判定結果Ｊmと異なる方式の検出結果の回数がＣ回であって、前判定結果Ｊmと異なる方式の検出結果の割合ＲＥ（＝Ｃ／Ｎ×１００）が「ＲＥ≧ＴＨp」であるとき、ステップＳＴ１５に進む。また、「ＲＥ≧ＴＨp」でないときステップＳＴ１６に進む。
【００３１】
ステップＳＴ１５で判定処理部２６は、第１判定結果を生成する。この第１判定結果では、前判定結果Ｊmと異なる方式の検出結果の割合ＲＥが第１の閾値ＴＨp以上であることから、前判定結果Ｊmと異なる方式を新たな判定結果とする。また、判定結果では、判定フラグＦＧを「ＯＦＦ」に設定して、方式判定が確定したことを示すようにする。
【００３２】
例えば図５Ａに示すように、前判定結果Ｊmが「５０Ｈｚ」であって１０回の検出結果のうち、前判定結果Ｊmと異なる方式の検出結果の回数が９回であるときは、ステップＳＴ１４からステップＳＴ１５に進み、方式「６０Ｈｚ」、判定フラグＦＧ「ＯＦＦ」である第１判定結果を生成する。
【００３３】
ステップＳＴ１６で判定処理部２６は、前判定結果Ｊmと異なる方式の検出結果の割合が第２の閾値ＴＨq未満であるか否かを判別する。ここで、前判定結果Ｊmと異なる方式の検出結果の回数がＣ回であって、前判定結果Ｊmと異なる方式の検出結果の割合ＲＥ（＝Ｃ／Ｎ×１００）が「ＲＥ＜ＴＨq」であるとき、ステップＳＴ１７に進む。また、「ＲＥ＜ＴＨq」でないときステップＳＴ１８に進む。
【００３４】
ステップＳＴ１７で判定処理部２６は、第２判定結果を生成する。この第２判定結果では、前判定結果Ｊmと異なる方式の検出結果の割合ＲＥが第２の閾値ＴＨq未満であることから、前判定結果Ｊmと判定結果とする。また、判定フラグＦＧを「ＯＦＦ」に設定する。
【００３５】
例えば図５Ｂに示すように、前判定結果Ｊmが「５０Ｈｚ」であって、１０回の検出結果のうち、前判定結果Ｊmと異なる方式の検出結果の回数が１回であるときは、ステップＳＴ１６からステップＳＴ１７に進み、方式「５０Ｈｚ」、判定フラグＦＧ「ＯＦＦ」である第２判定結果を生成する。
【００３６】
ステップＳＴ１８で判定処理部２６は、第３判定結果を生成する。この第３判定結果では、前判定結果Ｊmと異なる方式の検出結果の割合ＲＥが第２の閾値ＴＨp未満であって第２の閾値ＴＨq以上であることから、検出結果は安定しておらず過渡状態であり、方式判定は確定していないとして判定フラグＦＧを「ＯＮ」に設定する。なお、このときの判定結果は例えば前判定結果Ｊmを示すものとする。
【００３７】
例えば図５Ｃに示すように、前判定結果Ｊmが「５０Ｈｚ」であって、１０回の検出結果のうち、前判定結果Ｊmと異なる方式の検出結果の回数が５回であるときは、ステップＳＴ１６からステップＳＴ１７に進み、方式「５０Ｈｚ」、判定フラグＦＧ「ＯＮ」である第３判定結果を生成する。
【００３８】
ステップＳＴ１９で判定処理部２６は、ステップＳＴ１５、ステップＳＴ１７、ステップＳＴ１８のいずれかで生成された判定結果ＲＤを制御部３０に通知する。なお図３のフローチャートでは、既に得られている前判定結果Ｊmとの比較結果に基づいて判定処理を行うものとしたが、前判定結果Ｊmが得られていないときは、判定母数Ｎの検出結果のなかで、例えば第１の閾値ＴＨp以上の割合となる方式を判定結果として制御部３０に通知すればよい。また、多数決で数の多い方式を判定結果として制御部３０に通知するもとしてもよい。さらに、後述するように、制御部３０で判定結果Ｋmが保持されているときは、この判定結果Ｋmを前判定結果Ｊmとして用いるようにする。
【００３９】
図２のステップＳＴ２で制御部３０は、判定結果ＲＤが通知されたか否かを判別して、判定結果ＲＤが通知されていないときはステップＳＴ２に戻り、判定結果ＲＤが判定処理部２６から通知されたときはステップＳＴ３に進む。
【００４０】
ステップＳＴ３で制御部３０は、通知された判定結果ＲＤの判定フラグＦＧが「ＯＮ」であるか否かを判別する。ここで、判定結果ＲＤとして第３判定結果が供給されて判定フラグＦＧが「ＯＮ」であるときはステップＳＴ４に進む。また、判定結果ＲＤとして第１あるいは第２判定結果が供給されて判定フラグＦＧが「ＯＦＦ」であるときはステップＳＴ５に進む。
【００４１】
ステップＳＴ４で制御部３０は、保持されている前回の判定結果Ｋmに基づいた制御を行う。すなわち、制御部３０は、判定フラグＦＧが「ＯＮ」であり、方式判定は確定しておらず過渡状態であることから、前回の判定結果Ｋmが示す方式に応じて各部の制御を行いステップＳＴ６に進む。
【００４２】
ステップＳＴ５で制御部３０は、判定結果ＲＤに基づいた制御を行う。すなわち、制御部３０は、判定フラグＦＧが「ＯＦＦ」であり、方式判定が確定していることから、判定結果ＲＤが示す方式に応じて各部の制御を行いステップＳＴ６に進む。
【００４３】
ステップＳＴ６で制御部３０は、保持されている判定結果Ｋmを新たな判定結果Ｊaで更新する。また、判定結果Ｋmが保持されていないときは、判定結果ＲＤで示された方式を記憶させる。
【００４４】
さらに、制御部３０は判定結果が必要となったとき、例えばチャネル切替を行ったとき、判定処理部２６に対して判定結果ＲＤの要求を行い、その後、ステップＳＴ２からの処理を繰り返す。また、入力切替が行われたときは、ステップＳＴ１からの処理を繰り返す。また、電界強度の変化が所定レベルよりも大きいとき、判定結果が必要であるとしてステップＳＴ１からの処理を繰り返すものとしてもよい。
【００４５】
判定処理部２６は、制御部３０から判定結果ＲＤの要求がなされたとき、判定フラグＦＧを「ＯＮ」として判定結果ＲＤを制御部３０に通知したのち、ステップＳＴ１２からの処理を繰り返す。その後、判定母数Ｎの数だけ検出結果ＤＳを取得して、この取得した検出結果ＤＳに基づいて生成した判定結果ＲＤを制御部３０に通知する。また、方式判定処理の設定が制御部３０から新たに通知されたときは、ステップＳＴ１１からの処理を繰り返して、検出結果ＤＳに基づいて生成した判定結果ＲＤを制御部３０に通知する。
【００４６】
なお、既に得られている前判定結果Ｊmと異なる検出結果ＤＳの連続回数に基づいて方式判定処理を行う場合、方式判定処理を行う際に用いる検出結果の総数（以下「判定母数」という）Ｎと、この判定母数Ｎにおいて、既に得られている前判定結果Ｊmと異なる検出結果の連続数について第１の閾値ＴＨp、第２の閾値ＴＨqを設定すれば、上述と同様な処理を行い検出結果ＤＳに応じた判定結果ＲＤを制御部３０に通知できる。
【００４７】
このように、複数の検出結果ＤＳを用いて方式判定処理を行うことから、検出部２５の検出性能が高くないために誤検出が生じても、あるいはノイズ等によって誤検出が生じても、この誤検出の結果に基づいて、各部の設定が切り替えられてしまうことがないので、動作が安定したものとなり品位の低下を防止できる。
【００４８】
また、方式判定が確定していないとき、すなわち、第３判定結果が供給されたときは、制御動作状態を保持しておき、その後、第１あるいは第２判定結果が供給されたとき、判定結果ＲＤに基づいた制御動作を行うことで、より安定した動作を得ることができる。例えば、チャネル切替や入力切替のときには出画を停止させるブランキングを行い、ブランキング中に判定結果ＲＤの要求を行う。ここで、判定フラグＦＧが「ＯＮ」であるときにはブランキングを継続して、その後判定フラグＦＧが「ＯＦＦ」となったとき、ブランキングを解除して、判定結果ＲＤが示す方式に応じた制御を行うものとすれば、判定結果が不安定な状態でブランキングが解除されてしまうことがなく、より安定した動作を行うことができる。
【００４９】
また、上述の実施の形態では、テレビジョン装置における垂直同期周波数を検出して、方式判定を行い、判定結果で示された放送方式に応じた信号処理を行うものとした。しかし、方式判定は垂直同期周波数を用いた場合に限られるものではない。例えば、検出部２５で垂直方向や水平方向の画素数等を検出して入力信号の方式判定を行うものとしてもよい。この場合、信号処理部２７は、判定結果と出力部２８における垂直方向や水平方向の画素数に基づいて画素数変換処理を行うことで、出力部２８の画面上に入力信号Ｓseに基づく画像を最適化して表示させることができる。
【００５０】
また、電子機器はテレビジョン装置に限られるものではなく、ＨＤＤ(Hard Disk Drive)や光ディスクおよび磁気テープなどの記録媒体を用いて映像音声信号の記録再生を行うレコーダや再生を行うプレーヤ、セットトップボックス等であってもよい。さらに、信号処理部で異なる方式の信号を処理する情報機器や通信機器等にも適用することができる。なお、上述の閾値や判別母数は例示的なものであり、限定的なものでないことは勿論である。
【図面の簡単な説明】
【００５１】
【図１】テレビジョン装置の構成を示す図である。
【図２】制御部の動作を示すフローチャートである。
【図３】判定処理部の動作を示すフローチャートである。
【図４】方式判定処理の判定条件を示す図である。
【図５】方式判定処理の動作を説明するための図である。
【符号の説明】
【００５２】
１０・・・テレビジョン装置、２１・・・アンテナ、２２・・・チューナ、２３・・・信号入力端子、２４・・・信号切替部、２５・・・検出部、２６・・・判定処理部、２７・・・信号処理部、２８・・・出力部、２９・・・ユーザインタフェース部、３０・・・制御部
【図１】
2008054057.tif 000003
【図２】
2008054057.tif 000004
【図３】
2008054057.tif 000005
【図４】
2008054057.tif 000006
【図５】
2008054057.tif 000007